(57)【要約】【課題】表示ラベルに記録された立体像の奥行き感を高めることを可能とした表示ラベル、および、物品を提供する。【解決手段】立体像を記録するための微細な凹凸によって構成された記録領域１１Ａ１，１１Ａ２と、記録領域１１Ａ１，１１Ａ２を取り囲み、かつ、記録領域１１Ａ１，１１Ａ２よりも平坦な平坦領域１１Ｂと、を含む記録面１１Ｓを備える記録層１１と、光の反射率が記録層１１よりも高く、記録層１１の厚さ方向から見て、記録領域１１Ａ１，１１Ａ２に重なり、かつ、記録領域１１Ａ１，１１Ａ２の外形に追従した形状を有する反射層１２とを備える。【選択図】図１
2020112628.tif 000002
【特許請求の範囲】
【請求項１】
立体像を記録するための微細な凹凸によって構成された記録領域と、前記記録領域を取り囲み、かつ、前記記録領域よりも平坦な平坦領域と、を含む記録面を備える記録層と、
光の反射率が前記記録層よりも高く、前記記録層の厚さ方向から見て、前記記録領域に重なり、かつ、前記記録領域の外形に追従した形状を有する反射層と、を備える
表示ラベル。
【請求項２】
前記記録層の厚さ方向から見て、前記記録領域の外形に追従する形状において、前記記録領域の外形を縁取る前記記録領域の縁と、前記反射層の外形を縁取る前記反射層の縁との間の距離が、前記記録領域の縁における全体にわたって１ｍｍ以下である
請求項１に記載の表示ラベル。
【請求項３】
前記記録層の厚さ方向から見て、前記記録領域の外形に追従する形状において、前記記録領域の外形を縁取る前記記録領域の縁と、前記反射層の外形を縁取る前記反射層の縁との間の距離が、前記記録領域の縁における全体にわたって、前記記録領域の最大幅に対する５％以下である
請求項１または２に記載の表示ラベル。
【請求項４】
前記表示ラベルが広がる平面において、第１方向と、前記第１方向に直交する第２方向とが設定され、
前記記録層の厚さ方向から見て、前記記録領域に外接する外接円の中心と、前記反射層に外接する外接円おける中心との間の距離が、前記第１方向および前記第２方向において１ｍｍ以下である
請求項１から３のいずれか一項に記載の表示ラベル。
【請求項５】
前記反射層は、前記記録層の厚さ方向から見て、前記記録領域の縁における全体にわたって前記記録領域からはみ出す
請求項２から４のいずれか一項に記載の表示ラベル。
【請求項６】
前記反射層は、前記記録層の厚さ方向から見て、前記記録領域の縁における全体にわたって前記記録領域の縁よりも内側に位置する
請求項２から４のいずれか一項に記載の表示ラベル。
【請求項７】
請求項１から６のいずれか一項に記載の表示ラベルと、
前記表示ラベルを支持するプラスチックプレートと、を備える
物品。
【発明の詳細な説明】
【技術分野】
【０００１】
本発明の実施形態は、表示ラベル、および、表示ラベルを備える物品に関する。
【背景技術】
【０００２】
擬似的な立体像を表示することが可能な表示ラベルには、複数の単位画素が割り付けられている。表示ラベルは、各画素に属する微細な凹凸構造体を有している。凹凸構造体は、光を反射する複数の斜面を含んでいる。各画素は、各画素に属する複数の斜面の傾斜角および方位角に応じた方向に光を射出する。表示ラベルは、各画素が射出した光によって、擬似的な立体像を表示する。このように、表示ラベルには、各画素に属する斜面の傾斜角および方位角によって、擬似的な立体像が記録されている（例えば、特許文献１を参照）。
【先行技術文献】
【特許文献】
【０００３】
【特許文献１】特開２０１３−１６７７９６号公報
【発明の概要】
【発明が解決しようとする課題】
【０００４】
ところで、各画素に属する微細な凹凸構造体は、表示ラベルが備える１つのレリーフ層における一部である。そして、各凹凸構造体に属する複数の斜面は、レリーフ層が備えるレリーフ面の一部である。レリーフ面は、複数の斜面と、複数の斜面の周囲に位置する平坦面とを含むことが多い。レリーフ面には、表示ラベルに記録された立体像の奥行き感を高める目的で、また、表示ラベルの意匠性を高める目的で、レリーフ層よりも光の反射率が高い反射層が位置する場合がある。この場合には、表示ラベルに記録された立体像とは関連性の低い形状であり、かつ、複数の斜面が位置する領域よりも大幅に大きい反射層がレリーフ面に付されることが通常である。
【０００５】
こうした反射層によれば、反射層のなかで平坦面に位置する部分と、斜面に位置する部分との両方から強度の高い光が反射されるために、斜面から反射された光によって形成される立体像が、平坦面から反射された光に対して目立たちにくい。結果として、表示ラベルが形成する立体像が、表示ラベルを観察する観察者の目を引きにくくなる場合がある。それゆえに、表示ラベルに記録された立体像の奥行き感を高めることが可能な技術が求められている。
【０００６】
本発明の実施形態は、表示ラベルに記録された立体像の奥行き感を高めることを可能とした表示ラベル、および、物品を提供することができる。
【課題を解決するための手段】
【０００７】
上記課題を解決するための表示ラベルは、立体像を記録するための微細な凹凸によって構成された記録領域と、前記記録領域を取り囲み、かつ、前記記録領域よりも平坦な平坦領域と、を含む記録面を備える記録層と、光の反射率が前記記録層よりも高く、前記記録層の厚さ方向から見て、前記記録領域に重なり、かつ、前記記録領域の外形に追従した形状を有する反射層と、を備える。
【０００８】
上記課題を解決するための物品は、上記表示ラベルと、前記表示ラベルを支持するプラスチックプレートと、を備える。
上記各構成によれば、反射層が記録領域の外形に追従した形状を有するため、記録領域の輝度と、記録領域を取り囲む平坦領域の輝度とのコントラストを大きくすることが可能である。これにより、記録領域に記録された立体像が平坦領域に対して目立つことにより、立体像の奥行き感を高めることが可能である。
【０００９】
上記表示ラベルにおいて、前記記録層の厚さ方向から見て、前記記録領域の外形に追従する形状において、前記記録領域の外形を縁取る前記記録領域の縁と、前記反射層の外形を縁取る前記反射層の縁との間の距離が、前記記録領域の縁における全体にわたって１ｍｍ以下であってもよい。
【００１０】
上記構成によれば、表示ラベルを観察した観察者は、記録領域の縁と反射層の縁とを個別に観察することができない。そのため、観察者は、記録領域の形状と反射層の形状とが同一であると認識する。これにより、記録領域に記録された立体像と、その周囲とのコントラストがより強調される。結果として、記録領域に記録された立体像の奥行き感が高まる。
【００１１】
上記表示ラベルにおいて、前記記録層の厚さ方向から見て、前記記録領域の外形に追従する形状において、前記記録領域の外形を縁取る前記記録領域の縁と、前記反射層の外形を縁取る前記反射層の縁との間の距離が、前記記録領域の縁における全体にわたって、前記記録領域の最大幅に対する５％以下であってもよい。
【００１２】
上記表示ラベルにおいて、前記表示ラベルが広がる平面において、第１方向と、前記第１方向に直交する第２方向とが設定され、前記記録層の厚さ方向から見て、前記記録領域に外接する外接円における中心と、前記反射層に外接する外接円における中心との間の距離が、前記第１方向および前記第２方向において１ｍｍ以下であってもよい。
【００１３】
上記各構成によれば、表示ラベルを観察した観察者は、記録層の厚さ方向から見て、記録領域と反射層とが同一の形状を有すると認識する確率が高まる。これにより、記録領域に記録された立体像と、その周囲とのコントラストがより強調される。結果として、記録領域に記録された立体像の奥行き感が高まる。
【００１４】
上記表示ラベルにおいて、前記反射層は、前記記録層の厚さ方向から見て、前記記録領域の縁における全体にわたって前記記録領域からはみ出してもよい。上記構成によれば、記録層の厚さ方向から見て、反射層が記録領域よりも大きいため、記録領域に対する反射層の相対的な位置のずれが生じたとしても、記録領域の全体が反射層によって覆われやすくなる。
【００１５】
上記表示ラベルにおいて、前記反射層は、前記記録層の厚さ方向から見て、前記記録領域の縁における全体にわたって前記記録領域の縁よりも内側に位置してもよい。上記構成によれば、記録層の厚さ方向から見て、反射層が記録領域よりも小さいため、記録領域に対する反射層の相対的な位置のずれが生じたとしても、反射層が記録領域の縁から観察者によって視認できる程度にはみ出すことが生じにくくなる。
【発明の効果】
【００１６】
本発明の実施形態によれば、表示ラベルに記録された立体像の奥行き感を高めることができる。
【図面の簡単な説明】
【００１７】
【図１】第１実施形態の表示ラベルにおける構造を説明する断面図。
【図２】第１実施形態の表示ラベルにおける構造を説明する平面図。
【図３】第１実施形態の表示ラベルの構造における一部を拡大して説明する部分拡大平面図。
【図４】第１実施形態の表示ラベルの構造における一部を拡大して説明する部分拡大平面図。
【図５】第１実施形態の表示ラベルを観察する際の観察点を説明するための模式図。
【図６】第１実施形態の表示ラベルにおける作用を説明するための図。
【図７】第１実施形態の表示ラベルにおける作用を説明するための図。
【図８】比較例の表示ラベルにおける構造を示す断面図。
【図９】比較例の表示ラベルにおける作用を説明するための図。
【図１０】比較例の表示ラベルにおける作用を説明するための図。
【図１１】第１実施形態の物品における表面と対向する平面視における構造を説明する平面図。
【図１２】第１実施形態の物品における裏面と対向する平面視における構造を説明する平面図。
【図１３】第１実施形態の物品に付された表示ラベルの構造を説明する断面図。
【図１４】第２実施形態の表示ラベルにおける構造を説明する断面図。
【図１５】第２実施形態の表示ラベルにおける作用を説明するための図。
【図１６】第２実施形態の表示ラベルにおける作用を説明するための図。
【発明を実施するための形態】
【００１８】
［第１実施形態］
図１から図１３を参照して、表示ラベル、および、表示ラベルを備える物品の第１実施形態を説明する。以下では、表示ラベルの構造、表示ラベルの作用、比較例の表示ラベルにおける構造、比較例の表示ラベルにおける作用、物品の構造、表示ラベルの製造方法、および、実験結果を順に説明する。
【００１９】
［表示ラベルの構造］
図１から図４を参照して、表示ラベルの構造を説明する。
図１が示すように、表示ラベル１０は、記録層１１と反射層１２とを備えている。記録層１１は、記録領域１１Ａと平坦領域１１Ｂとを含む記録面１１Ｓを備えている。記録領域１１Ａは、立体像を記録するための微細な凹凸によって構成されている。平坦領域１１Ｂは、記録領域１１Ａを囲み、かつ、記録領域１１Ａよりも平坦である。反射層１２における光の反射率は、記録層１１における光の反射率よりも高い。反射層１２は、記録層１１の厚さ方向から見て、記録領域１１Ａに重なり、かつ、記録領域１１Ａの外形に追従した形状を有している。さらには、反射層１２の外形は、記録領域１１Ａの外形のわずかに外側か、わずかに内側であるか、またはわずかに外側の外形部分とわずかに内側の外形部分とからなる。
【００２０】
本実施形態では、記録面１１Ｓが、第１記録領域１１Ａ１と第２記録領域１１Ａ２を含んでいる。第１記録領域１１Ａ１は、平坦領域１１Ｂに対して所定の角度で傾斜した複数の傾斜面Ａ１１を備えている。複数の傾斜面Ａ１１は、第１傾斜面と第２傾斜面とを含んでいる。第１傾斜面が第１傾斜面に入射した光を反射する方向が、第２傾斜面が第２傾斜面に入射した光を反射する方向と異なる。第２記録領域１１Ａ２は、立体像を記録するための回折格子Ａ２１を備えている。
【００２１】
反射層１２は、記録層１１の厚さ方向から見て、第１記録領域１１Ａ１の外形に追従した形状を有する第１反射部１２Ａと、第２記録領域１１Ａ２の外形に追従した形状を有する第２反射部１２Ｂとを含んでいる。
【００２２】
第１傾斜面は、第１傾斜面が平坦面に対して傾く角度、および、第１傾斜面の向きである方位角の少なくとも一方が他の面とは異なることによって、第１傾斜面に入射した光を第２傾斜面とは異なる方向に反射することが可能である。これにより、第１記録領域１１Ａ１には、立体像が記録されている。なお、方位角は、各傾斜面の法線を記録面１１Ｓに投影した投影線が、記録面１１Ｓに設定された基準方向と形成する角度である。
【００２３】
記録層１１は、記録層１１に入射した光を反射層１２まで透過する光透過性を有している。記録層１１は、記録面１１Ｓとは反対側の面である観察面１１ＯＢを備えている。観察面１１ＯＢは、記録面１１Ｓよりも平坦な面である。観察面１１ＯＢは、略平坦な面である。そのため、傾斜面の傾斜角度は、観察面１１ＯＢによって定義することも可能である。
【００２４】
記録層１１は、傾斜面Ａ１１を１つずつ含む複数の凸部を有している。各凸部は、平坦領域１１Ｂに対して突出している。平坦領域１１Ｂに直交する面に沿った断面において、各凸部は直角三角形状を有し、これによって、複数の凸部は鋸刃状を有している。各凸部の高さは、１００ｎｍ以上５μｍ以下であってよく、さらには４００ｎｍ以上５００ｎｍ以下であってよい。なお、各凸部の高さは、平坦領域１１Ｂからの突出量である。平坦領域１１Ｂに直交する面に沿った断面において、凸部のピッチは、１μｍ以上２０μｍ以下であってよい。第１記録領域１１Ａ１には、白色光によって形成される立体像が記録されている。
【００２５】
回折格子Ａ２１は、回折格子Ａ２１に入射した光を回折光として回折する。これにより、第２記録領域１１Ａ２には、白色光が分光された光であって、互いに異なる波長を有した光によって形成される立体像が記録されている。第２記録領域１１Ａ２が備える回折格子Ａ２１には、空間周波数、および、回折格子Ａ２１において凹凸が繰り返される方向の少なくとも一方が互いに異なる複数の部分が含まれてよい。回折格子Ａ２１において、凸部の高さ、および、凸部のピッチが、第１記録領域１１Ａ１に位置する凸部の高さ、および、凸部のピッチよりも小さくてもよい。
【００２６】
表示ラベル１０が反射層１２と対向する方向から観察される場合には、記録層１１を介することなく反射層１２に入射した光が反射層１２において反射される。そして、反射層１２で反射された光が観察者によって視認される。これに対して、表示ラベル１０が記録層１１と対向する方向から観察される場合には、記録層１１を介して反射層１２に入射した光が、記録層１１と反射層１２との界面において反射される。そして、界面において反射された光が記録層１１を介して表示ラベル１０の外部に射出され、結果として、観察者によって視認される。ただし、いずれの場合であっても、表示ラベル１０に入射した光が反射される方向は、第１記録領域１１Ａ１に位置する傾斜面Ａ１１の特性、および、第２記録領域１１Ａ２に位置する回折格子Ａ２１の特性に依存する。
【００２７】
第１記録領域１１Ａ１に入射した光が第１記録領域１１Ａ１から射出される第１射出方向は、第２記録領域１１Ａ２に入射した光が第２記録領域１１Ａ２から射出される第２射出方向と異なっている。
【００２８】
傾斜面Ａ１１に入射した光が反射する方向は、傾斜面Ａ１１が傾斜する角度、および、傾斜面Ａ１１の方位角に依存する。また、回折格子Ａ２１に入射した光が反射する方向は、回折格子Ａ２１の空間周波数、および、回折格子Ａ２１において凹凸が繰り返される方向に依存する。そのため、表示ラベル１０では、第１記録領域１１Ａ１が光を反射する第１射出方向と、第２記録領域１１Ａ２が光を反射する第２射出方向とは、傾斜面Ａ１１が傾斜する角度、傾斜面Ａ１１の方位角、回折格子Ａ２１の空間周波数、および、回折格子Ａ２１における凹凸の繰り返し方向によって、互いに異なる方向に設定されている。
【００２９】
第１反射部１２Ａの形状が第１記録領域１１Ａ１の形状に追従するとは、記録面１１Ｓと対向する平面視において、第１反射部１２Ａが、第１記録領域１１Ａ１の形状と略相同な形状を有すること、および、第１記録領域１１Ａ１の形状と略相似な形状を有することを含む。第２反射部１２Ｂの形状が第２記録領域１１Ａ２の形状に追従するとは、記録面１１Ｓと対向する平面視において、第２反射部１２Ｂが、第２記録領域１１Ａ２の形状と略相同な形状を有すること、および、第２記録領域１１Ａ２の形状と略相似な形状を有することを含む。
【００３０】
第１記録領域１１Ａ１において、第１反射部１２Ａは、各傾斜面Ａ１１上に位置する一方で、凸部における傾斜面Ａ１１以外の側面であって、平坦領域１１Ｂに対して略直交する側面には位置していない。あるいは、第１反射部１２Ａにおいて、各傾斜面Ａ１１上に位置する部分の厚さが、凸部における傾斜面Ａ１１以外の側面に位置する部分の厚さよりも厚い。第２記録領域１１Ａ２において、第２反射部１２Ｂは、各凸部の頂面、および、凸部間の溝に位置する一方で、凸部における頂面以外の側面であって、平坦領域１１Ｂに対して略直交する側面には位置していない。あるいは、第２反射部１２Ｂにおいて、各凸部の頂面、および、凸部間の溝に位置する部分の厚さが、凸部における頂面以外の側面における厚さよりも厚い。
【００３１】
反射層１２の光学濃度は、１．０以上であることが好ましい。光学濃度は、ＪＩＳ  Ｚ  ８１２０：２００１において、以下の式によって定義される物質が光を吸収する程度を表す量である。
【００３２】
Ｄ＝ｌｏｇ１０（ｌ０／ｌ）
なお、上記の式において、Ｄは光学濃度であり、ｌ０は入射光の強度であり、ｌは透過光または反射光の強度である。
【００３３】
記録層１１を形成するための材料は、各種の合成樹脂であってよい。合成樹脂は、熱可塑樹脂、熱硬化樹脂、紫外線硬化樹脂とすることができる。熱可塑樹脂は、アクリル樹脂などとできる。熱硬化樹脂は、ウレタン樹脂、ウレタンアクリレート樹脂などとできる。紫外線硬化樹脂は、アクリル樹脂、アクリルアクリレート樹脂、ウレタンアクリレート樹脂などとできる。記録層１１の厚さは、１μｍ以上３μｍ以下であってよい。反射層１２を形成するための材料は、各種の金属であってよい。反射層１２の厚さは、５ｎｍ以上１００ｎｍ以下であってよい。さらには、反射層１２の厚さは、１０ｎｍ以上８０ｎｍ以下であってもよい。この範囲では、可視光の反射を生じやすい。
【００３４】
図２は、観察面１１ＯＢから記録層１１を観察した平面構造を示している。なお、図２では、記録面１１Ｓが有する第１記録領域１１Ａ１の外形、および、第２記録領域１１Ａ２の外形が、それぞれ実線で示されている。一方で、図２では、反射層１２の各部が有する外形が、二点鎖線で示されている。
【００３５】
図２が示すように、表示ラベル１０において、第２記録領域１１Ａ２、第１記録領域１１Ａ１、および、第２記録領域１１Ａ２が、１つの方向に沿って隙間を空けて並んでもよい。本実施形態の図２で説明される構成は、２つの第２記録領域１１Ａ２のうち、一方の第２記録領域１１Ａ２には、立体像として人間の顔のイラストが記録され、他方の第２記録領域１１Ａ２には、立体像として太陽のイラストが記録された構成である。なお、この構成において、各第２記録領域１１Ａ２における外形の形状と、各第２記録領域１１Ａ２に記録された立体像における外形の形状とは、互いに略等しい。
【００３６】
これに対して、本実施形態の図２で説明される構成の第１記録領域１１Ａ１には、立体像として、互いに略相似な矩形が、各矩形の中心が互いに一致するように配置された模様が記録されている。なお、第１記録領域１１Ａ１における外形の形状と、第１記録領域１１Ａ１に記録された立体像における外形の形状とは、互いに略等しい。なお、各記録領域１１Ａ１，１１Ａ２に記録された立体像は、上述した像に限らず、幾何学模様、テキスト、しるし（ｓｉｇｎ）、シンボル、エンブレム、紋章もしくはコード、またはこれらの組み合わせとできる。シンボルとエンブレムは、旗、盾、剣、槍、王冠、星、月、ハート、ロゴ、リボン、ライン、花、葉、穀物、果物、鳥、翼、魚、節足動物、哺乳類、伝説上の生物、爬虫類、両生類を含むことができる。コードは、一次元コード、二次元コードとできる。一次元コードはバーコード、シリアルナンバーまたは双方の組み合わせとできる。二次元コードはＱＲコード（登録商標）とできる。幾何学模様は、彩紋（Ｇｕｉｌｌｏｃｈｅ）の立体像であってよい。テキストは、文字、数字、および、記号などとできる。
【００３７】
図３（ａ）および図３（ｂ）は、図２において一点鎖線で囲まれた領域Ａを拡大して示している。図３（ａ）は、第２記録領域１１Ａ２の外形と、第２反射部１２Ｂの外形との関係の１つの例を示し、一方で、図３（ｂ）は、第２記録領域１１Ａ２の外形と、第２反射部１２Ｂの外形との関係の他の例を示している。なお、以下に説明する第２記録領域１１Ａ２の外形と、第２反射部１２Ｂの外形との関係は、第１記録領域１１Ａ１の外形と、第１反射部１２Ａの外形との関係にも適用することが可能である。
【００３８】
図３（ａ）が示すように、第２反射部１２Ｂは、記録層１１の厚さ方向から見て、第２記録領域１１Ａ２の縁１１Ｅにおける全体にわたって第２記録領域１１Ａ２からはみ出してもよい。第２記録領域１１Ａ２の縁１１Ｅは、第２記録領域１１Ａ２の外形を縁取る形状を有した線状の部位である。記録層１１の厚さ方向から見て、反射部１２Ａ，１２Ｂが記録領域１１Ａ１，１１Ａ２よりも大きいため、記録領域１１Ａ１，１１Ａ２に対する反射部１２Ａ，１２Ｂの相対的な位置のずれが生じたとしても、記録領域１１Ａ１，１１Ａ２の全体が反射部１２Ａ，１２Ｂによって覆われやすくなる。
【００３９】
あるいは、図３（ｂ）が示すように、第２反射部１２Ｂは、記録層１１の厚さ方向から見て、第２記録領域１１Ａ２の縁１１Ｅにおける全体にわたって第２記録領域１１Ａ２の縁１１Ｅよりも内側に位置してもよい。記録層１１の厚さ方向から見て、反射部１２Ａ，１２Ｂが記録領域１１Ａ１，１１Ａ２よりも小さいため、記録領域１１Ａ１，１１Ａ２に対する反射部１２Ａ，１２Ｂの相対的な位置のずれが生じたとしても、反射部１２Ａ，１２Ｂが記録領域１１Ａ１，１１Ａ２の縁１１Ｅから観察者によって視認できる程度にはみ出すことが生じにくくなる。
【００４０】
これらのいずれの場合であっても、第２反射部１２Ｂの外形と、第２記録領域１１Ａ２の外形とは、以下の条件を満たすことが好ましい。第２反射部１２Ｂの外形と、第２記録領域１１Ａ２の外形とは、以下の２つの条件のうち一方のみを満たしてもよいし、２つの条件における両方を同時に満たしてもよい。
【００４１】
（条件１）記録層１１の厚さ方向から見て、第２記録領域１１Ａ２の外形に追従する形状において、第２記録領域１１Ａ２の外形を縁取る第２記録領域１１Ａ２の縁１１Ｅと、第２反射部１２Ｂの外形を縁取る第２反射部１２Ｂの縁１２Ｅとの間の距離ＤＩＳ（図３参照）が、第２記録領域１１Ａ２の縁１１Ｅにおける全体にわたって１ｍｍ以下である。
【００４２】
（条件２）記録層１１の厚さ方向から見て、第２記録領域１１Ａ２の外形に追従する形状において、第２記録領域１１Ａ２の外形を縁取る第２記録領域１１Ａ２の縁１１Ｅと、第２反射部１２Ｂの外形を縁取る第２反射部１２Ｂの縁１２Ｅとの間の距離ＤＩＳ（図３参照）が、第２記録領域１１Ａ２の縁１１Ｅにおける全体にわたって、第２記録領域１１Ａ２の最大幅に対する５％以下とできる。さらには、距離ＤＩＳは、第２記録領域１１Ａ２の最大幅に対する１％以下でもよい。
【００４３】
条件１または条件２が満たされる場合には、表示ラベル１０を観察した観察者は、記録領域１１Ａ１，１１Ａ２の縁１１Ｅと反射部１２Ａ，１２Ｂの縁１２Ｅとを個別に観察することができない。そのため、観察者は、記録領域１１Ａ１，１１Ａ２の形状と反射部１２Ａ，１２Ｂの形状とが同一であると認識する。これにより、記録領域１１Ａ１，１１Ａ２に記録された立体像と、その周囲とのコントラストがより強調される。結果として、記録領域１１Ａ１，１１Ａ２に記録された立体像の奥行き感が高まる。
【００４４】
本実施形態において、第２記録領域１１Ａ２の外形は円状とできる。第２記録領域１１Ａ２の外形が円状であり、第２記録領域１１Ａ２および第２反射部１２Ｂが条件１を満たす場合には、第２反射部１２Ｂの外形も略円状である。つまり、第２記録領域１１Ａ２の外形と第２反射部１２Ｂの外形は、相似とできる。また、距離ＤＩＳが、第２記録領域１１Ａ２の周方向における全体にわたって１ｍｍ以下とできる。
【００４５】
第２記録領域１１Ａ２および第２反射部１２Ｂが条件２を満たす場合には、第２反射部１２Ｂの外形も略円状であり、かつ、距離ＤＩＳが、第２記録領域１１Ａ２の周方向における全体にわたって、第２記録領域１１Ａ２の最大幅に対する５％以下である。なお、第２記録領域１１Ａ２の外形は円状であるため、第２記録領域１１Ａ２の最大幅は、第２記録領域１１Ａ２における直径の大きさに等しい。
【００４６】
なお、条件１を満たす場合、第２記録領域１１Ａ２の縁１１Ｅにおける全体にわたって距離ＤＩＳの値が一定であってもよいし、縁１１Ｅにおいて距離ＤＩＳの値が変化してもよい。また、条件２を満たす場合、第２記録領域１１Ａ２の縁１１Ｅにおける全体にわたって距離ＤＩＳの値が一定であってもよいし、縁１１Ｅにおいて距離ＤＩＳの値が変化してもよい。これらのいずれの場合であっても、条件１あるいは条件２を満たすことで、同等の奥行き感を得ることが可能である。
【００４７】
図４には、表示ラベル１０のなかで、第２記録領域１１Ａ２を含む部分の平面構造と、当該部分の一部である領域Ｂを拡大した構造とが説明されている。
第２反射部１２Ｂの外形と、第２記録領域１１Ａ２の外形とは、さらに以下の条件を満たすものとできる。
【００４８】
（条件３）表示ラベル１０が広がる平面において、第１方向Ｄ１と第１方向Ｄ１に直交する第２方向Ｄ２とが設定される。記録層１１の厚さ方向から見て、第２記録領域１１Ａ２に外接する外接円の中心ＭＣ１１と、第２反射部１２Ｂに外接する外接円の中心ＭＣ１２との間の距離が、第１方向Ｄ１および第２方向Ｄ２において１ｍｍ以下である。
【００４９】
条件３が満たされる場合には、表示ラベル１０を観察した観察者は、記録層１１の厚さ方向から見て、記録領域１１Ａ１，１１Ａ２と反射部１２Ａ，１２Ｂとが同一の形状を有すると認識する確率が高まる。これにより、記録領域１１Ａ１，１１Ａ２に記録された立体像と、その周囲とのコントラストがより強調される。結果として、記録領域１１Ａ１，１１Ａ２に記録された立体像の奥行き感が高まる。
【００５０】
図４が示すように、第２記録領域１１Ａ２の外接円における中心ＭＣ１１は、第２記録領域１１Ａ２の内接円における中心でもある。第２反射部１２Ｂの外接円における中心ＭＣ１２は、第２反射部１２Ｂの内接円における中心でもある。第１方向Ｄ１において、第２記録領域１１Ａ２の外接円における中心ＭＣ１１と、第２反射部１２Ｂの外接円における中心ＭＣ１２との間の距離が、第１距離ＤＩＳ１である。第２方向Ｄ２において、第２記録領域１１Ａ２の外接円における中心ＭＣ１１と、第２反射部１２Ｂの外接円における中心ＭＣ１２との間の距離が、第２距離ＤＩＳ２である。第１距離ＤＩＳ１は１ｍｍ以下であり、かつ、第２距離ＤＩＳ２も１ｍｍ以下とできる。
【００５１】
表示ラベル１０は、上述した条件１から条件３のいずれか１つを満たしてもよい。あるいは、表示ラベル１０は、条件１から条件３のうちの複数を同時に満たしてもよい。表示ラベル１０が、条件１から条件３の全てを満たす場合には、第２記録領域１１Ａ２の位置に対する反射層１２の位置のずれが抑えられやすい。
【００５２】
［表示ラベルの作用］
図５から図７を参照して、表示ラベル１０の作用を説明する。以下では、表示ラベル１０に入射する光の光源が、鉛直方向における表示ラベル１０の上方に位置する場合の表示ラベル１０の作用を説明する。なお、図５では、図示の便宜上、表示ラベル１０が備える反射層１２の図示が省略されている。
【００５３】
図５が示すように、光源ＬＳは、鉛直方向における表示ラベル１０の上方に位置している。光源ＬＳは、例えば、室内灯や自然光である。表示ラベル１０に入射した光は、第１記録領域１１Ａ１および第２記録領域１１Ａ２のそれぞれにおいて反射される。そのため、表示ラベル１０に対して光が入射する側が、光の射出側であり、かつ、表示ラベル１０の観察側でもある。表示ラベル１０の観察側には、第１観察点ＯＢ１と第２観察点ＯＢ２とが設定されている。第２観察点ＯＢ２は、表示ラベル１０の観察側となる空間における第１観察点ＯＢ１とは異なる点である。
【００５４】
第１記録領域１１Ａ１は、表示ラベル１０の観察側における所定の範囲である第１の範囲に光を射出する。第１記録領域１１Ａ１が射出する光は、第１の範囲内において強度に分布を有する。第１記録領域１１Ａ１は、第１観察点ＯＢ１に向かう方向である第１射出方向ＦＤに対して、最も高い強度の反射光ＲＬ１を射出する。そのため、表示ラベル１０の観察者は、表示ラベル１０を第１観察点ＯＢ１から見た場合に、第１記録領域１１Ａ１が表示する立体像として、最も輝度が高い像を観察することができる。
【００５５】
これに対して、各第２記録領域１１Ａ２は、表示ラベル１０の観察側における所定の範囲である第２の範囲に光を射出する。第２の範囲は、第１の範囲とは異なる範囲である。第２の範囲は、第１の範囲と重なる領域と、第１の範囲とは重ならない領域とから構成されている。各第２記録領域１１Ａ２が射出する光は、第２の範囲内において強度に分布を有する。第２記録領域１１Ａ２は、第２観察点ＯＢ２に向かう方向である第２射出方向ＳＤに対して、最も高い強度の反射光ＲＬ２を射出する。そのため、表示ラベル１０の観察者は、表示ラベル１０を第２観察点ＯＢ２から見た場合に、第２記録領域１１Ａ２が表示する立体像として、最も輝度が高い像を観察することができる。
【００５６】
一方で、第１記録領域１１Ａ１が第２射出方向ＳＤに射出する反射光ＲＬ１の強度は、第１記録領域１１Ａ１が第１射出方向ＦＤに射出する反射光ＲＬ１の強度、および、各第２記録領域１１Ａ２が第２射出方向ＳＤに射出する反射光ＲＬ２の強度に対して、相対的に低い。また、各第２記録領域１１Ａ２が第１射出方向ＦＤに射出する反射光ＲＬ２の強度は、第２記録領域１１Ａ２が第２射出方向ＳＤに射出する反射光ＲＬ２の強度、および、第１記録領域１１Ａ１が第１射出方向ＦＤに射出する反射光ＲＬ１の強度に対して、相対的に低い。
【００５７】
図６は、表示ラベル１０が第１観察点ＯＢ１から観察されたときの表示ラベル１０の平面構造を示している。これに対して、図７は、表示ラベル１０が第２観察点ＯＢ２から観察されたときの表示ラベル１０の平面構造を示している。図６および図７では、図示の便宜上、第１記録領域１１Ａ１の縁１１Ｅと、第１反射部１２Ａの縁１２Ｅとを１つの実線で示している。また、図６および図７では、図示の便宜上、第２記録領域１１Ａ２の縁１１Ｅと、第２反射部１２Ｂの縁１２Ｅとを１つの実線で示している。
【００５８】
図６が示すように、表示ラベル１０が第１観察点ＯＢ１から観察されているため、第１記録領域１１Ａ１が備える傾斜面Ａ１１によって記録された立体像が観察される。上述したように、第１記録領域１１Ａ１は、第１記録領域１１Ａ１の縁１２Ｅに追従する形状を有した第１反射部１２Ａによって覆われているため、第１記録領域１１Ａ１が第１反射部１２Ａによって覆われていない場合に比べて、第１記録領域１１Ａ１が射出する反射光ＲＬ１の輝度が高い。一方で、各第２記録領域１１Ａ２が射出する反射光ＲＬ２は、第１観察点ＯＢ１ではほとんど観察されないため、第２記録領域１１Ａ２は、ほぼ一様な輝度であって、かつ、第１記録領域１１Ａ１よりも低い輝度を有した領域として観察される。
【００５９】
このとき、第１記録領域１１Ａ１および第２記録領域１１Ａ２は、各記録領域１１Ａ１，１１Ａ２に追従する反射部１２Ａ，１２Ｂによって覆われている一方で、各記録領域１１Ａ１，１１Ａ２間に位置する平坦領域１１Ｂは、反射層１２によってほとんど覆われていない。そのため、第１観察点ＯＢ１から第１記録領域１１Ａ１が観察された場合に、第１記録領域１１Ａ１を取り囲む平坦領域１１Ｂから射出される反射光の輝度は、第１記録領域１１Ａ１から射出される反射光ＲＬ１の輝度に対して非常に低い。これにより、第１記録領域１１Ａ１の輝度と、その周囲に位置する平坦領域１１Ｂの輝度とのコントラストが高められ、結果として、第１記録領域１１Ａ１に記録された立体像が目立つことによって、立体像の奥行き感を高めることが可能である。
【００６０】
図７が示すように、表示ラベル１０が第２観察点ＯＢ２から観察されているため、第２記録領域１１Ａ２が備える回折格子Ａ２１によって記録された立体像が観察される。上述したように、第２記録領域１１Ａ２は、第２記録領域１１Ａ２の縁１２Ｅに追従する形状を有した第２反射部１２Ｂによって覆われているため、第２記録領域１１Ａ２が第２反射部１２Ｂによって覆われていない場合に比べて、第２記録領域１１Ａ２が射出する反射光ＲＬ２の輝度が高い。一方で、第１記録領域１１Ａ１が射出する反射光ＲＬ１は、第２観察点ＯＢ２ではほとんど観察されないため、第１記録領域１１Ａ１は、ほぼ一様な輝度であって、かつ、第２記録領域１１Ａ２よりも低い輝度を有した領域として観察される。
【００６１】
このとき、第１記録領域１１Ａ１および第２記録領域１１Ａ２は、各記録領域１１Ａ１，１１Ａ２に追従する反射部１２Ａ，１２Ｂによって覆われている一方で、各記録領域１１Ａ１，１１Ａ２間に位置する平坦領域１１Ｂは、反射層１２によってほとんど覆われていない。そのため、第２観察点ＯＢ２から第２記録領域１１Ａ２が観察された場合に、第２記録領域１１Ａ２を取り囲む平坦領域１１Ｂから射出される反射光の輝度は、第２記録領域１１Ａ２から射出される反射光ＲＬ２の輝度に対して非常に低い。これにより、第２記録領域１１Ａ２の輝度と、その周囲に位置する平坦領域１１Ｂの輝度とのコントラストが高められ、結果として、第２記録領域１１Ａ２に記録された立体像が目立つことによって、立体像の奥行き感を高めることが可能である。
【００６２】
このように、表示ラベル１０によれば、表示ラベル１０を第１観察点ＯＢ１から観察した場合と、表示ラベル１０を第２観察点ＯＢ２から観察した場合とで、表示ラベル１０が表示する立体像が異なる。そのため、表示ラベル１０を観察する観察点を変更することによって、表示ラベル１０が表示する立体像が異なるか否かを検証することによって、表示ラベル１０の真贋を容易に判定することが可能である。
【００６３】
また、表示ラベル１０によれば、各記録領域１１Ａ１，１１Ａ２に対して追従する形状を反射部１２Ａ，１２Ｂが有する。そのため、各記録領域１１Ａ１，１１Ａ２に対して追従する形状を有した反射部１２Ａ，１２Ｂを形成することが可能なパターニング技術を用いなければ、表示ラベル１０を偽造することができない。それゆえに、記録面１１Ｓの全体に反射層１２を有した表示ラベルに比べて、表示ラベル１０の偽造が難しく、結果として、表示ラベル１０の偽造をより抑制することが可能である。
【００６４】
［比較例の表示ラベルにおける構造］
図８を参照して、比較例の表示ラベルにおける構造を説明する。
図８が示すように、比較例の表示ラベル２０は、上述した表示ラベル１０と同一の形状を有した記録層１１を備えている。一方で、表示ラベル２０は、記録層１１が備える記録面１１Ｓのほぼ全体を覆う反射層２２を備えている。反射層２２は、記録面１１Ｓにおける第１記録領域１１Ａ１および第２記録領域１１Ａ２だけでなく、各記録領域１１Ａ１，１１Ａ２の間に位置する平坦領域１１Ｂも覆っている。そのため、反射層２２は、各記録領域１１Ａ１，１１Ａ２に関連性を有する形状を有していない。
【００６５】
［比較例の表示ラベルにおける作用］
図９および図１０を参照して、比較例の表示ラベル２０における作用を説明する。なお、上述したように、表示ラベル２０は、第１実施形態の表示ラベル１０と同様の記録層１１を有するため、第１記録領域１１Ａ１は、第１観察点ＯＢ１に対して最も高い輝度を有した反射光ＲＬ１を射出し、かつ、第２記録領域１１Ａ２は、第２観察点ＯＢ２に対して最も高い輝度を有した反射光ＲＬ２を射出する。
【００６６】
図９は、表示ラベル２０が第１観察点ＯＢ１から観察されたときの表示ラベル２０の平面構造を示している。図１０は、表示ラベル２０が第２観察点ＯＢ２から観察されたときの表示ラベル２０の平面構造を説明している。
【００６７】
図９が示すように、表示ラベル２０が第１観察点ＯＢ１から観察されているため、第１記録領域１１Ａ１が備える傾斜面Ａ１１によって記録された立体像が観察される。しかしながら、表示ラベル２０は、記録面１１Ｓのほぼ全体を覆う反射層２２を備えるため、第１観察点ＯＢ１から第１記録領域１１Ａ１が観察された場合に、第１記録領域１１Ａ１を取り囲む平坦領域１１Ｂからも高い輝度を有した反射光が射出される。これにより、第１記録領域１１Ａ１の輝度と、その周囲に位置する平坦領域１１Ｂの輝度とのコントラストが生じにくく、結果として、第１記録領域１１Ａ１に記録された立体像が、反射層２２で反射される反射光に対して目立たない。
【００６８】
図１０が示すように、表示ラベル２０が第２観察点ＯＢ２から観察されているため、第２記録領域１１Ａ２が備える回折格子Ａ２１によって記録された立体像が観察される。しかしながら、表示ラベル２０は、記録面１１Ｓのほぼ全体を覆う反射層２２を備えるため、第２観察点ＯＢ２から第２記録領域１１Ａ２が観察された場合に、第２記録領域１１Ａ２を取り囲む平坦領域１１Ｂからも高い輝度を有した反射光が射出される。これにより、第２記録領域１１Ａ２の輝度と、その周囲に位置する平坦領域１１Ｂの輝度とのコントラストが生じにくく、結果として、第２記録領域１１Ａ２に記録された立体像が、反射層２２で反射される反射光に対して目立たない。
【００６９】
［物品の構造］
図１１から図１３を参照して、物品の構造を説明する。なお、以下では、物品がカードとして具体化された場合を説明する。カードは、クレジットカード、ポイントカード、運転免許証、および、ＩＤカードなどであってよい。ＩＤカードは、国民ＩＤカードなどとできる。図１１は、カードの表面と対向する方向から見たカードの平面構造を説明している。図１２は、カードの裏面と対向する方向から見たカードの平面構造を説明している。
【００７０】
図１１が示すように、カード３０は、表示ラベル１０と、表示ラベル１０を支持するプラスチックプレート３１とを備えている。プラスチックプレート３１は板状を有し、表面３１Ｆと、表面３１Ｆとは反対側の面である裏面３１Ｒとを備えている。表示ラベル１０は、プラスチックプレート３１の表面３１Ｆに貼り付けられる。また、表示ラベル１０は、プラスチックプレート３１の内部に埋め込まれていてもよい。
【００７１】
プラスチックプレート３１において、表示ラベル１０の厚さ方向から見て、少なくとも第１記録領域１１Ａ１と重なる部分が透明である。本実施形態では、プラスチックプレート３１が透明窓３１Ａを備えている。透明窓３１Ａは、プラスチックプレート３１の一部であり、表面３１Ｆと対向する平面視において、矩形状を有してもよい。透明窓３１Ａは、プラスチックプレート３１の表面３１Ｆと裏面３１Ｒとの間において光を透過する透過性を有している。表面３１Ｆと対向する平面視において、透明窓３１Ａは第１記録領域１１Ａ１と重なり、かつ、第１記録領域１１Ａ１の全体よりも大きい面積を有している。プラスチックプレート３１において、透明窓３１Ａ以外の部分は、半透明または不透明である。
【００７２】
図１２が示すように、プラスチックプレート３１の裏面３１Ｒと対向する方向から見て、透明窓３１Ａを介して表示ラベル１０の第１記録領域１１Ａ１が観察される。そのため、カード３０の観察者は、プラスチックプレート３１の表面３１Ｆと対向する方向から表示ラベル１０を見たときと、プラスチックプレート３１の裏面３１Ｒと対向する方向から表示ラベル１０を見たときとの両方において、第１記録領域１１Ａ１が記録する立体像を観察することが可能である。
【００７３】
図１３は、表示ラベル１０が広がる平面に直交する平面に沿う表示ラベル１０の断面構造を示している。
図１３が示すように、表示ラベル１０が表示ラベル１０を支持するプラスチックプレート３１に貼り付けられる場合には、表示ラベル１０は、記録層１１および反射層１２に加えて、基材１３と接着層１４とを備えている。基材１３は、記録層１１を支持し、かつ、記録層１１における物理的な損傷や化学的な損傷を抑える。基材１３は、記録層１１に記録された立体像を透過する光透過性を有している。接着層１４は、表示ラベル１０をプラスチックプレート３１に接着する。接着層１４は、記録層１１に記録された立体像を透過する光透過性を有している。
【００７４】
［表示ラベルの製造方法］
上述した表示ラベル１０は、以下に説明する方法によって製造することが可能である。
［記録層１１］
記録層１１は、記録層１１を支持する基材に対して、記録層１１を形成するための塗液を塗布することによって形成される。記録層１１を形成する際の塗布方法は、グラビアコート、リバースグラビアコート、ダイコート、リップコート、および、マイクログラビアコートなどであってよい。
【００７５】
記録層１１を形成する材料は、熱可塑性樹脂、熱硬化樹脂、および、紫外線または電子線硬化樹脂であってよい。熱可塑性樹脂は、アクリル系樹脂、エポキシ系樹脂、セルロース系樹脂、および、ビニル系樹脂であってよい。熱硬化性樹脂は、メラミン系樹脂、フェノール系樹脂、および、反応性水酸基を有したアクリルポリオールやポリエステルポリオールなどにポリイソシアネートを架橋剤として添加した架橋させたウレタン樹脂であってよい。紫外線または電子線硬化性樹脂は、エポキシ（メタ）アクリル、および、ウレタン（メタ）アクリレートであってよい。
【００７６】
第１記録領域１１Ａ１および第２記録領域１１Ａ２はいずれも、例えば以下の方法によって記録面１１Ｓに形成される。まず、第１記録領域１１Ａ１が備える傾斜面Ａ１１、および、第２記録領域１１Ａ２が備える回折格子Ａ２１を形成するためのレリーフ版を作成する。レリーフ版を作成する際には、電子線硬化性樹脂を準備する。次いで、電子線硬化性樹脂に電子線を所定のパターンで照射することによって、電子線硬化性樹脂の一部を露光する。そして、露光後の電子線硬化性樹脂を現像することによって、マスター版を得ることができる。続いて、マスター版の表面に電気めっき法を用いて金属薄膜を形成することによって、マスター版が有する凹凸パターンを複製する。これによって、金属製のレリーフ版を得ることができる。そして、硬化後の塗布層にレリーフ版を熱圧着させることによって、記録面１１Ｓを有した記録層１１を得ることができる。または、硬化前の塗布層にレリーフ版を密着させた状態で塗布層を硬化させることによって、記録面１１Ｓを有した記録層１１を形成することができる。
【００７７】
記録面１１Ｓを有した記録層１１は、記録層１１の前駆層が有する１つの面を切削することによって形成することも可能である。
なお、第２記録領域１１Ａ２が備える回折格子Ａ２１は、例えば、干渉性が高い光を物体に当て、これによって得られた散乱光に、同じ光源から参照光を照射することによって形成された干渉縞を感光材料に記録させたに基づくものであってもよい。または、第２記録領域１１Ａ２が備える回折格子Ａ２１は、予めコンピューターを用いたシミュレーションによって得られた構造に基づくものであってもよい。
【００７８】
これに対して、第１記録領域１１Ａ１では、傾斜面Ａ１１の高さ、傾斜面Ａ１１の幅、および、傾斜面Ａ１１の方位角によって、第１記録領域１１Ａ１に記録される立体像の形状などを制御することが可能である。言い換えれば、傾斜面Ａ１１の法線ベクトルを、表示する立体像を構成する仮想面の向く方向とすることができる。
【００７９】
［反射層１２］
反射層１２は、金属とできる。反射層１２の金属は、アルミニウム、銀、スズ、クロム、ニッケル、銅、金、および、真鍮であってよい。または、反射層１２を形成するための金属または合金は、物理堆積、または、化学堆積により形成できる。物理堆積は、真空蒸着、および、スパッタとできる。
【００８０】
第１記録領域１１Ａ１、および、第２記録領域１１Ａ２に追従する形状を有した反射部１２Ａ，１２Ｂを備える反射層１２は、以下に列挙するいずれかの方法によって形成できる。また、以下のいずれか２つ以上の方法を組み合わせてもよい。
【００８１】
第１の方法では、所定の印刷法を用いて、各記録領域１１Ａ１，１１Ａ２の形状に追従する形状を有した反射部１２Ａ，１２Ｂを形成する。第２の方法では、第１記録領域１１Ａ１の形状に追従する開口部、および、第２記録領域１１Ａ２の形状に追従する開口部を有したマスクを用いて反射部１２Ａ，１２Ｂを堆積、または、塗布により形成する。これにより、マスクによってマスクされた部分以外の記録領域１１Ａ１，１１Ａ２の形状に追従する形状を有した反射部１２Ａ，１２Ｂを形成できる。
【００８２】
第３の方法では、まず、記録面１１Ｓのなかで、第１記録領域１１Ａ１および第２記録領域１１Ａ２以外の領域に、溶剤に対する溶解性を有した樹脂を塗布する。次いで、記録面１１Ｓの全体、すなわち、記録面１１Ｓのなかで、溶解性を有した樹脂によって覆われた部分と、溶解性の樹脂によって覆われていない部分との両方に、反射層１２を形成するための薄膜を形成する。次いで、溶剤を用いることによって、樹脂とともに、薄膜のなかで、樹脂上に形成された領域を記録面１１Ｓから除去する。これにより、樹脂で覆われていた領域以外の記録領域１１Ａ１，１１Ａ２の形状に追従する形状を有した反射部１２Ａ，１２Ｂを形成できる。
【００８３】
第４の方法では、まず、反射層１２を形成するための薄膜よりも記録面１１Ｓから剥離されやすい樹脂によって、記録面１１Ｓのなかで、第１記録領域１１Ａ１および第２記録領域１１Ａ２以外の領域に、樹脂層を形成する。次いで、記録面１１Ｓの全体に、反射層１２を形成するための薄膜を形成する。そして、記録面１１Ｓ上の薄膜に粘着ロールや粘着紙を押し当てることによって、粘着シートや粘着紙に樹脂層を転写する。これによって、各記録領域１１Ａ１，１１Ａ２に追従した形状を有する反射部１２Ａ，１２Ｂを形成することができる。
【００８４】
第５の方法では、まず、記録面１１Ｓの全体に反射層１２を形成するための薄膜を形成する。次いで、耐薬品性を有した樹脂層を、第１記録領域１１Ａ１および第２記録領域１１Ａ２に追従した形状を有するように薄膜上に形成する。そして、アルカリ性のエッチング液または酸性のエッチング液を用いることによって、薄膜のなかで、樹脂層から露出した部分を溶解する。この場合には、薄膜の一部を溶解した後に、耐薬品性の樹脂層を反射層１２上から取り除いてもよいし、取り除かなくでもよい。耐薬品性の樹脂層を反射層１２上に位置させることによって、反射層１２を保護する保護層、または、反射層１２を装飾する印刷層として樹脂層を用いることができる。これにより、樹脂が形成されていた領域の記録領域１１Ａ１，１１Ａ２の形状に追従する形状を有した反射部１２Ａ，１２Ｂを形成できる。
【００８５】
第６の方法では、まず、記録面１１Ｓの全体に反射層１２を形成するための薄膜を形成する。次いで、薄膜の全体を感光性樹脂によって覆う。その後、第１記録領域１１Ａ１および第２記録領域１１Ａ２の形状に応じて感光性樹脂層を露光し、かつ、現像する。感光性樹脂層がネガ型の場合、露光された領域に感光性樹脂が残る。感光性樹脂層がポジ型の場合、露光されていない領域に感光性樹脂が残る。そして、アルカリ性のエッチング液または酸性のエッチング液を用いることによって、薄膜のなかで、感光性樹脂層から露出した部分を溶解する。この場合には、第５の方法と同様、薄膜の一部を溶解した後に、感光性樹脂層を反射層１２上から取り除いてもよいし、取り除かなくてもよい。感光性樹脂層を反射層１２上に位置させることによって、反射層１２を保護する保護層、または、反射層１２を装飾する印刷層として感光性樹脂層を用いることができる。これにより、樹脂が現像後に残っている領域の記録領域１１Ａ１，１１Ａ２の形状に追従する形状を有した反射部１２Ａ，１２Ｂを形成できる。
【００８６】
第７の方法では、まず、記録面１１Ｓの全体に反射層１２を形成するための薄膜を形成する。次いで、薄膜のなかで、第１記録領域１１Ａ１を覆う部分、および、第２記録領域１１Ａ２を覆う部分以外の部分を、薄膜にレーザービームを照射することによって、記録面１１Ｓ上から取り除く。これにより、レーザービームが照射された領域以外の記録領域１１Ａ１，１１Ａ２の形状に追従する形状を有した反射部１２Ａ，１２Ｂを形成できる。
【００８７】
［基材１３］
表示ラベル１０が基材１３を備える場合には、基材１３は、透明な高分子樹脂フィルムであってよい。高分子樹脂フィルムを形成する材料は、塩化ビニル樹脂、ポリエチレンテレフタレート樹脂、ナイロン樹脂、ポリエチレン樹脂、ポリプロピレン樹脂、ポリオレフィン樹脂、ＡＢＳ樹脂、ポリカーボネート樹脂、および、ポリエチレンナフタレート樹脂であってよい。
【００８８】
［接着層１４］
表示ラベル１０が接着層１４を備える場合には、接着層１４は、記録層１１の記録面１１Ｓに塗布されることによって形成される。接着層１４を形成する際の塗布方法は、オフセット印刷法、グラビア印刷法、凸版印刷法、および、スクリーン印刷法であってよい。
【００８９】
接着層１４を形成する材料は、澱粉系、メチルセルロース系、カルボキシセルロース系、ヒドロキシエチルセルロース系、ポリビニルアルコール系、ポリビニルピロリドン系、ビニルエチルエーテル‐無水マレイン酸共重合体系、ポリアクリル酸系、および、ポリエチレンオキサイド系の接着剤、または、粘着剤であってよい。接着層１４を形成する材料は、感圧性の材料、および、感熱性の材料であってもよい。
【００９０】
［実験結果］
［実験結果１］
２５μｍの厚さを有したポリエチレンテレフタレートフィルムを基材１３として準備した。次いで、基材１３にグラビア印刷法を用いて以下のインキを塗布した後、塗布した層を乾燥させることによって、１．５μｍの厚さを有した記録層１１の前駆層を得た。そして、第１記録領域１１Ａ１および第２記録領域１１Ａ２を形成するためのレリーフ版を熱圧着させることによって、記録面１１Ｓを有した記録層１１を得た。
【００９１】
［記録層用インキ］
アクリル樹脂          １８．０重量部
シランカップリング剤    ２．０重量部
メチルエチルケトン    ８０．０重量部
【００９２】
記録面１１Ｓの全体に、真空蒸着法を用いて８０ｎｍの厚さを有したアルミニウム膜を形成した。次に、アルミニウム膜の全体にスクリーン印刷法を用いて感光剤を塗布した後、塗布した層を乾燥させることによって、５μｍの厚さを有した感光性層を得た。そして、露光マスクを用いて感光性層を露光した。次いで、現像液を用いて感光性層を現像するとともに、アルミニウム膜をエッチングした。続いて、剥離液を用いてアルミニウム膜上から感光性層を取り除くことによって、第１記録領域１１Ａ１に追従した形状を有する第１反射部１２Ａと、第２記録領域１１Ａ２に追従した形状を有する第２反射部１２Ｂとから構成される反射層１２を得た。
【００９３】
記録面１１Ｓの全体に、グラビア印刷法を用いて以下のインキを塗布した後、塗布した層を乾燥させることによって、７μｍの厚さを有した接着層１４を形成した。これによって、実験結果１の表示ラベル１０を得た。次いで、ホットスタンプ機を用いて表示ラベル１０をプラスチックプレート３１に貼り付けることによって、実験結果１のカード３０を得た。
【００９４】
［接着層用インキ］
塩酢ビ樹脂  ３０．０重量部
酢酸エチル  ５０．０重量部
トルエン    ２０．０重量部
【００９５】
［比較結果１］
実験結果１の表示ラベル１０において、記録面１１Ｓの全体に形成したアルミニウム膜を反射層２２とした以外は、実験結果１と同様の方法によって、比較結果１の表示ラベル２０を得た。また、比較結果１の表示ラベル２０を実験結果１と同様の方法によってプラスチックプレート３１に貼り付けることによって、比較結果１のカードを得た。
【００９６】
［評価結果］
実験結果１のカード３０では、実験結果１の表示ラベル１０における第１記録領域１１Ａ１に記録された立体像の輝度、および、第２記録領域１１Ａ２に記録された立体像の輝度が、各記録領域１１Ａ１，１１Ａ２を取り囲む平坦領域１１Ｂの輝度よりも大幅に高いことが認められた。これにより、各記録領域１１Ａ１，１１Ａ２に記録された立体像がその周囲に対して目立ち、結果として、表示ラベル１０に記録された立体像の奥行き感が高められることが認められた。
【００９７】
これに対して、比較結果１のカードでは、比較結果１の表示ラベル１０における各記録領域１１Ａ１，１１Ａ２に記録された立体像の輝度と、各記録領域１１Ａ１，１１Ａ２を取り囲む平坦領域１１Ｂの輝度との差が小さいために、各記録領域１１Ａ１，１１Ａ２に記録された立体像が目立たないことが認められた。
【００９８】
以上説明したように、表示ラベル、および、物品の第１実施形態によれば、以下に記載の視覚効果、生産性を得ることができる。
（１）反射部１２Ａ，１２Ｂが記録領域１１Ａ１，１１Ａ２の外形に追従した形状を有するため、記録領域１１Ａ１，１１Ａ２の輝度と、記録領域１１Ａ１，１１Ａ２を取り囲む平坦領域１１Ｂの輝度とのコントラストを大きくすることが可能である。これにより、記録領域１１Ａ１，１１Ａ２に記録された立体像が平坦領域１１Ｂに対して目立つことにより、立体像の奥行き感を高めることが可能である。
【００９９】
（２）表示ラベル１０を観察した観察者は、記録領域１１Ａ１，１１Ａ２の縁１１Ｅと反射部１２Ａ，１２Ｂの縁１２Ｅとを個別に観察することができない。そのため、観察者は、記録領域１１Ａ１，１１Ａ２の形状と反射部１２Ａ，１２Ｂの形状とが同一であると認識する。これにより、記録領域１１Ａ１，１１Ａ２に記録された立体像と、その周囲とのコントラストがより強調される。結果として、記録領域１１Ａ１，１１Ａ２に記録された立体像の奥行き感が高まる。
【０１００】
（３）表示ラベル１０を観察した観察者は、記録層１１の厚さ方向から見て、記録領域１１Ａ１，１１Ａ２と反射部１２Ａ，１２Ｂとが同一の形状を有すると認識する確率が高まる。これにより、記録領域１１Ａ１，１１Ａ２に記録された立体像と、その周囲とのコントラストがより強調される。結果として、記録領域１１Ａ１，１１Ａ２に記録された立体像の奥行き感が高まる。
【０１０１】
（４）記録層１１の厚さ方向から見て、反射部１２Ａ，１２Ｂが記録領域１１Ａ１，１１Ａ２よりも大きいため、記録領域１１Ａ１，１１Ａ２に対する反射部１２Ａ，１２Ｂの相対的な位置のずれが生じたとしても、記録領域１１Ａ１，１１Ａ２の全体が反射部１２Ａ，１２Ｂによって覆われやすくなる。
【０１０２】
（５）記録層１１の厚さ方向から見て、反射部１２Ａ，１２Ｂが記録領域１１Ａ１，１１Ａ２よりも小さいため、記録領域１１Ａ１，１１Ａ２に対する反射部１２Ａ，１２Ｂの相対的な位置のずれが生じたとしても、反射部１２Ａ，１２Ｂが記録領域１１Ａ１，１１Ａ２の縁１１Ｅから観察者によって視認できる程度にはみ出すことが生じにくくなる。
【０１０３】
なお、上述した実施形態は、以下のように適宜変更して実施することができる。
［記録層］
・記録層１１は、第１記録領域１１Ａ１と第２記録領域１１Ａ２とのいずれか一方のみを備えてもよい。この場合であっても、上述した（１）と同様に奥行き感を得ることはできる。
【０１０４】
［反射層］
・反射層１２は、記録層１１の厚さ方向から見て、各記録領域１１Ａ１，１１Ａ２に追従した形状を有して、各記録領域１１Ａ１，１１Ａ２の縁１１Ｅにおける全体にわたって各記録領域１１Ａ１，１１Ａ２よりも大きく、かつ、各距離ＤＩＳ１，ＤＩＳ２が、１ｍｍよりも大きく、かつ、３ｍｍ以下であってもよい。この場合には、反射層１２のなかで、各記録領域１１Ａ１，１１Ａ２の縁１１Ｅよりも外側に位置する部分が、各記録領域１１Ａ１，１１Ａ２が表示する立体像の縁とは分離した状態で観察される。そのため、反射層１２のなかで、各記録領域１１Ａ１，１１Ａ２の縁１１Ｅよりも外側に位置する部分が、各記録領域１１Ａ１，１１Ａ２が表示する立体像を縁取ることによって、立体像の意匠性が高められる。
【０１０５】
・各反射部１２Ａ，１２Ｂの縁１２Ｅは、その反射部１２Ａが追従する記録領域１１Ａ１，１１Ａ２の縁１１Ｅにおける全体において、記録領域１１Ａ１，１１Ａ２の縁１１Ｅよりも内側に位置する部分と、記録領域１１Ａ１，１１Ａ２の縁１１Ｅよりも外側に位置する部分とを含んでもよい。この場合であっても、上述した条件１および条件２を満たしていれば、上述した（２）と同様に奥行き感を得ることはできる。
【０１０６】
［印刷層］
・表示ラベル１０は、記録層１１、反射層１２、基材１３、および、接着層１４の他に、印刷層を備えてもよい。表示ラベル１０は、記録層１１と反射層１２との間以外の部位に印刷層を備えることが可能である。印刷層を形成するためのインキには、各種の染料や顔料を含むインキを用いることができる。印刷層を形成するための方法は、凸版印刷法、グラビア印刷法、オフセット印刷法、および、スクリーン印刷法であってよい。表示ラベル１０が印刷層を備えることによって、表示ラベル１０が印刷層を備えてない場合と比べて、表示ラベル１０の意匠性を高めたり、表示ラベル１０の偽造防止性を高めたりすることが可能である。
【０１０７】
［物品］
・表示ラベル１０は、プラスチックプレート３１の表面３１Ｆまたは裏面３１Ｒが有する窪み内に埋め込まれてもよい。この場合には、プラスチックプレート３１の窪みを区画する壁面に上述した接着層を形成するための接着剤が付されてもよいし、接着剤が付されなくてもよい。
【０１０８】
・カード３０のプラスチックプレート３１は、透明窓３１Ａを備えていなくてもよい。この場合には、プラスチックプレート３１の全体が、半透明または不透明である。
・表示ラベル１０が付される物品は、上述したカード以外の物品でもよい。物品は、真正品であることが表示ラベル１０によって証明される物品でもよいし、各種の証明書でもよい。
【０１０９】
［第２実施形態］
図１４から図１６を参照して、表示ラベルおよび物品の第２実施形態を説明する。第２実施形態では、表示ラベルが透明反射層を備える点が第１実施形態とは異なっている。そのため以下では、第２実施形態における第１実施形態との相違点を詳しく説明する一方で、第２実施形態において第１実施形態と共通する構成には同一の符号を付すことによって、当該構成の説明を省略する。また、以下では、表示ラベルの構造、表示ラベルの作用、表示ラベルの製造方法、および、実験結果を順に説明する。
【０１１０】
［表示ラベルの構造］
図１４を参照して、表示ラベルの構造を説明する。
図１４が示すように、表示ラベル４０は、記録層４１と反射層４２とを備えている。記録層４１は、第１実施形態の表示ラベル１０が備える記録層１１に対応している。記録層４１において、記録面４１Ｓが第１実施形態の記録面１１Ｓに対応し、第１記録領域４１Ａ１が第１実施形態の第１記録領域１１Ａ１に対応し、かつ、第２記録領域４１Ａ２が第１実施形態の第２記録領域１１Ａ２に対応している。記録層４１において、平坦領域４１Ｂが、第１実施形態の平坦領域１１Ｂに対応している。反射層４２は、第１記録領域４１Ａ１上のみに位置する点で、第１実施形態の反射層１２とは異なっている。
【０１１１】
透明反射層４３は、記録層４１の厚さ方向から見て、反射層４２における第１記録領域４１Ａ１に対向する面とは反対側の面と、記録面４１Ｓのなかで、反射層４２によって覆われていない部分とを覆っている。透明反射層４３の屈折率と記録層４１の屈折率との差が、０．２以上である。透明反射層４３は、透明反射層４３に入射した光を透過する透過性を有し、かつ、透明反射層４３の屈折率と記録層４１の屈折率との差によって、透明反射層４３に入射した光を反射することが可能である。
【０１１２】
［表示ラベルの作用］
図１５および図１６を参照して、表示ラベル４０の作用を説明する。図１５は、表示ラベル４０が第１観察点ＯＢ１から観察されたときの表示ラベル４０の平面構造を示している。これに対して、図１６は、表示ラベル４０が第２観察点ＯＢ２から観察されたときの表示ラベル４０の平面構造を示している。図１５および図１６では、図６および図７と同様に、図示の便宜上、第１記録領域４１Ａ１の縁と、反射層４２の縁のなかで、第１記録領域４１Ａ１の縁に重なる部分とを１つの実線で示している。
【０１１３】
図１５が示すように、第１記録領域４１Ａ１は、第１実施形態の第１記録領域１１Ａ１と同じ形状を有している。２つの第２記録領域４１Ａ２のうちの一方は、ハート状を有している。２つの第２記録領域４１Ａ２のうちの他方は、星状を有している。
【０１１４】
表示ラベル４０が第１観察点ＯＢ１から観察されているため、第１実施形態の表示ラベル１０と同様、第１記録領域４１Ａ１が備える傾斜面Ａ１１によって記録された立体像が観察される。第１記録領域４１Ａ１は、第１記録領域４１Ａ１の縁４１Ｅに追従する形状を有した反射層４２によって覆われているため、第１記録領域４１Ａ１が反射層４２によって覆われていない場合に比べて、第１記録領域４１Ａ１が射出する反射光の輝度が高い。
【０１１５】
一方で、各第２記録領域４１Ａ２が射出する反射光は、第１観察点ＯＢ１ではほとんど観察されない。しかも、各第２記録領域４１Ａ２は、透明反射層４３によって覆われているため、第１観察点ＯＢ１から第２記録領域４１Ａ２が観察された場合には、第２記録領域４１Ａ２はいずれもほぼ透明である。それゆえに、第２記録領域４１Ａ２は、第２記録領域４１Ａ２を取り囲む平坦領域４１Ｂから区別されない。結果として、第１記録領域４１Ａ１に記録された立体像がより際立つ。
【０１１６】
図１６が示すように、表示ラベル４０が第２観察点ＯＢ２から観察されているため、第２記録領域４１Ａ２が備える回折格子Ａ２１によって記録された立体像が観察される。各第２記録領域４１Ａ２は金属製の反射層４２ではなく、透明反射層４３によって覆われているため、金属光沢ではなく、透明な層に対して回折格子Ａ２１が射出する回折光が重畳した像として第２記録領域４１Ａ２に記録された立体像が観察される。
【０１１７】
［表示ラベルの製造方法］
上述した表示ラベル４０は、透明反射層４３を備える点が第１実施形態の表示ラベル１０と異なっている。そのため以下では、表示ラベル４０の製造方法のうち、透明反射層４３を形成する工程を詳しく説明する一方で、それ以外の層を形成する工程についての説明を省略する。
【０１１８】
透明反射層４３は、記録層４１よりも高い屈折率を有した透明な薄膜である。透明反射層４３の屈折率は、記録層４１の屈折率よりも０．２以上高く、２．０以上高いことが好ましい。
【０１１９】
透明反射層４３は、誘電体とできる。誘電体は、金属化合物または酸化ケイ素とできる。金属化合物は、金属酸化物、金属硫化物、金属フッ化物、金属窒化物、ハロゲン化金属などとできる。透明反射層４３を形成するための材料は、以下に列挙する材料であってよい。透明反射層４３を形成するための材料は、Ｓｂ２Ｏ３、Ｆｅ２Ｏ３、ＴｉＯ２、ＣｄＳ、ＣｅＯ２、ＺｎＳ、ＰｂＣｌ２、ＣｄＯ、ＷＯ３、ＳｉＯ、Ｓｉ２Ｏ３、Ｉｎ２Ｏ３、ＰｂＯ、Ｔａ２Ｏ３、ＺｎＯ、ＺｒＯ２、ＭｇＦ、ＣａＦ、および、ＧａＮであってよい。透明反射層４３は、堆積法により形成することができる。堆積法は、物理堆積法または化学堆積法とできる。物理堆積法は、真空蒸着、スパッタとできる。また、透明反射層４３は、単層、多層とできる。多層の透明反射層４３は、屈折率の異なる誘電体を交互に堆積したものとできる。透明反射層４３の厚さは、５ｎｍ以上１０００ｎｍ以下であってよい。
【０１２０】
［実験結果］
［実験結果２］
実験結果１の表示ラベル１０において、以下の点を変更した以外は、実験結果１と同様の方法によって、実験結果２の表示ラベル４０、および、実験結果２のカードを得た。すなわち、実験結果２では、第１記録領域１１Ａ１に追従した形状を有する反射層４２を形成する一方で、第２記録領域４１Ａ２上には反射層４２を形成しなかった。次いで、記録面１１Ｓにおいて反射層４２によって覆われた領域と、反射層４２によって覆われていない領域との両方に、１００ｎｍの厚さを有したＳｉ２Ｏ３膜を透明反射層４３として形成した。Ｓｉ２Ｏ３膜の形成には、真空蒸着法を用いた。
【０１２１】
［比較結果２］
実験結果２の表示ラベル４０において、記録面１１Ｓの全体に形成したアルミニウム膜を反射層とし、かつ、透明反射層４３を形成しなかった以外は、実験結果２と同様の方法によって、比較結果２の表示ラベルを得た。また、比較結果２の表示ラベルを実験結果１と同様の方法によってプラスチックプレート３１に貼り付けることによって、比較結果２のカードを得た。
【０１２２】
［評価結果］
実験結果２のカードでは、実験結果２の表示ラベル４０における第１記録領域４１Ａ１に記録された立体像の輝度が、第１記録領域４１Ａ１を取り囲む平坦領域１１Ｂ、および、第２記録領域４１Ａ２の輝度よりも大幅に高いことが認められた。これにより、第１記録領域４１Ａ１に記録された立体像の奥行き感が高められることが認められた。
【０１２３】
第２記録領域４１Ａ２に記録された立体像は、透明な層に対して回折格子Ａ２１が射出した回折光が重畳した像であり、これによって、金属光沢とともに観察される第１記録領域４１Ａ１の立体像とは外観が異なる像として観察されることが認められた。そして、こうした立体像間の違いによって、各記録領域４１Ａ１，４１Ａ２に記録された立体像の奥行き感が、互いに高められることが認められた。
【０１２４】
これに対して、比較結果２のカードでは、比較結果１の表示ラベルにおける各記録領域４１Ａ１，４１Ａ２に記録された立体像の輝度と、各記録領域４１Ａ１，４１Ａ２を取り囲む平坦領域４１Ｂの輝度との差が小さいために、各記録領域４１Ａ１，４１Ａ２に記録された立体像が目立たないことが認められた。
【０１２５】
以上説明したように、表示ラベルおよび物品の第２実施形態によれば、上述した（１）から（５）の視覚効果、生産性に加えて、以下に記載の視覚効果を得ることができる。
（６）反射層４２によって第１記録領域４１Ａ１に記録された立体像の奥行き感を高め、かつ、第２記録領域４１Ａ２に記録された立体像を、記録層４１の屈折率と透明反射層４３の屈折率との差に起因した光の反射によって表示することが可能である。
【０１２６】
なお、上述した第２実施形態は、以下のように変更して実施することができる。
［透明反射層］
・記録層４１の屈折率と透明反射層４３の屈折率との差が０．２以上であればよいため、透明反射層４３の屈折率が、記録層４１の屈折率よりも０．２以上低くてもよい。この場合であっても、上述した（６）に準じた効果を得ることはできる。
【０１２７】
・透明反射層４３は、各第２記録領域４１Ａ２に追従した形状を有してもよい。この場合であっても、上述した（６）と同様に視覚効果を得ることはできる。
【０１２８】
上記実施形態、および、変形例から導き出される技術的思想を以下に付記する。
［付記１］
前記反射層の光学濃度が、１．０以上である
請求項１から６のいずれか一項に記載の表示ラベル。
【０１２９】
上記構成によれば、反射層の光学濃度が１．０よりも小さい場合に比べて、反射層の反射率が高まり、これによって、反射層とその周囲に位置する平坦領域とのコントラストがより強調される。
【０１３０】
［付記２］
前記記録領域は、
前記平坦領域に対して所定の角度で形成した複数の傾斜面であって、第１傾斜面と、前記平坦領域に対して傾斜する角度が前記第１傾斜面とは異なる第２傾斜面とを含む前記複数の傾斜面を備える第１記録領域、または、
回折格子を備える第２記録領域である
請求項１から６のいずれか一項、または、付記１に記載の表示ラベル。
【０１３１】
上記構成によれば、記録領域が、第１記録領域であれ第２記録領域であれ、その記録領域に記録された立体像の奥行き感を高めることができる。
【０１３２】
［付記３］
前記記録領域は第１記録領域であり、前記第１記録領域は、前記平坦領域に対して所定の角度で傾斜した複数の傾斜面を備え、前記複数の傾斜面は、第１傾斜面と第２傾斜面とを含み、前記第１傾斜面が前記第１傾斜面に入射した光を射出する方向が、前記第２傾斜面が前記第２傾斜面に入射した光を射出する方向と異なり、
前記記録面は、立体像を記録するための回折格子を備える第２記録領域をさらに含み、
前記反射層は、前記記録層の厚さ方向から見て、前記第１記録領域の外形に追従した形状を有する第１反射部と、前記第２記録領域の外形に追従した形状を有する第２反射部と、を含む
請求項１から６のいずれか一項、または、付記１に記載の表示ラベル。
【０１３３】
上記構成によれば、第１記録領域に記録された立体像と、第２記録領域に記録された立体像との両方について奥行き感を高めることができる。
【０１３４】
［付記４］
前記記録領域は第１記録領域であり、前記第１記録領域は、前記平坦領域に対して所定の角度で傾斜した複数の傾斜面を備え、前記複数の傾斜面は、第１傾斜面と第２傾斜面とを含み、前記第１傾斜面が前記第１傾斜面に入射した光を射出する方向が、前記第２傾斜面が前記第２傾斜面に入射した光を射出する方向と異なり、
前記記録面は、立体像を記録するための回折格子を備える第２記録領域をさらに含み、
前記反射層は、前記記録層の厚さ方向から見て、前記第１記録領域の外形に追従した形状を有し、
前記記録層の厚さ方向から見て、前記反射層における前記第１記録領域に対向する面とは反対側の面と、前記記録面のなかで、前記反射層によって覆われていない部分とを覆う透明反射層をさらに備え、前記透明反射層の屈折率と前記記録層の屈折率との差が、０．２以上である
請求項１から６のいずれか一項、または、付記１に記載の表示ラベル。
【０１３５】
上記構成によれば、反射層によって第１記録領域に記録された立体像の奥行き感を高め、かつ、第２記録領域に記録された立体像を、記録層の屈折率と透明反射層の屈折率との差に起因した光の反射によって表示することが可能である。
【０１３６】
［付記５］
前記第１記録領域に入射した光が前記第１記録領域から射出される第１射出方向は、前記第２記録領域に入射した光が前記第２記録領域から射出される第２射出方向と異なる
付記３または４に記載の表示ラベル。
【０１３７】
上記構成によれば、表示ラベルは、第１記録領域が記録する立体像と、第２記録領域が記録する立体像とを互いに異なる方向に表示することが可能である。そのため、表示ラベルの真贋を表示ラベルに記録された立体像によって判定する場合には、表示ラベルに対する観察点の相対的な位置が変わることによって、表示ラベルが表示する立体像が変わるか否かを判定すればよい。それゆえに、表示ラベルの真贋の判定が容易である。
【０１３８】
［付記６］
前記プラスチックプレートにおいて、前記表示ラベルの厚さ方向から見て、少なくとも前記記録領域と重なる部分が透明である
請求項７に記載の物品。
【０１３９】
上記構成によれば、表示ラベルは、プラスチックプレートの表面と対向する方向から表示ラベルを観察する観察者、および、プラスチックプレートの裏面と対向する方向から表示ラベルを観察する観察者の両方に向けて立体像を表示することが可能である。
【符号の説明】
【０１４０】
１０，２０，４０…表示ラベル、１１，４１…記録層、１１Ａ…記録領域、１１Ａ１，４１Ａ１…第１記録領域、１１Ａ２，４１Ａ２…第２記録領域、１１Ｂ，４１Ｂ…平坦領域、１１Ｅ，１２Ｅ，４１Ｅ…縁、１１ＯＢ…観察面、１１Ｓ，４１Ｓ…記録面、１２，２２，４２…反射層、１２Ａ…第１反射部、１２Ｂ…第２反射部、１３…基材、１４…接着層、３０…カード、３１…プラスチックプレート、３１Ａ…透明窓、３１Ｆ…表面、３１Ｒ…裏面、４３…透明反射層、Ａ１１…傾斜面、Ａ２１…回折格子、ＬＳ…光源、ＭＣ１１，ＭＣ１２…中心、ＯＢ１…第１観察点、ＯＢ２…第２観察点。
【図１】
2020112628.tif 000003
【図２】
2020112628.tif 000004
【図３】
2020112628.tif 000005
【図４】
2020112628.tif 000006
【図５】
2020112628.tif 000007
【図６】
2020112628.tif 000008
【図７】
2020112628.tif 000009
【図８】
2020112628.tif 000010
【図９】
2020112628.tif 000011
【図１０】
2020112628.tif 000012
【図１１】
2020112628.tif 000013
【図１２】
2020112628.tif 000014
【図１３】
2020112628.tif 000015
【図１４】
2020112628.tif 000016
【図１５】
2020112628.tif 000017
【図１６】
2020112628.tif 000018